(57)【要約】      （修正有）【課題】複数の測定ユニットを、外部環境から充分に保護する。【解決手段】導出器収容体１が、温度を電圧に変換する熱電対４０による変換結果（電圧）を受けて、温度を導出する複数の測定ユニット１０と、複数の測定ユニット１０を収容する収容具と、複数の導出器１０が表面に配置された測定ユニット固定プレート３２と、熱電対４０が接続されるコネクタ３６が表面に配置された基板３４とを備える。さらに、基板３４が測定ユニット固定プレート３２の裏側に配置されている。これにより、複数の測定ユニット１０の各々に外部環境からの保護を充分に果たすカバーをかけなくても、複数の測定ユニット１０を収容する収容具により、複数の測定ユニット１０を外部環境から充分に保護することができる。【選択図】図５
2020091137.tif 000002
【特許請求の範囲】
【請求項１】
測定対象量を別の物理量に変換する物理量変換器による変換結果を受けて、前記測定対象量を導出する複数の導出器と、
前記複数の導出器を収容する収容具と、
を備えた導出器収容体。
【請求項２】
請求項１に記載の導出器収容体であって、
前記測定対象量が温度であり、
前記別の物理量が電圧であり、
前記物理量変換器が熱電対である、
導出器収容体。
【請求項３】
請求項１または２に記載の導出器収容体であって、
前記収容具が、互いに接合する複数の接合体を有し、
前記接合体の間に、防水用部材が配置されている、
導出器収容体。
【請求項４】
請求項１または２に記載の導出器収容体であって、
前記複数の導出器のうちの２つ以上に共通する電源供給用の電源端子を備えた導出器収容体。
【請求項５】
請求項１または２に記載の導出器収容体であって、
前記複数の導出器が表面に配置された導出器配置体と、
前記物理量変換器が接続されるコネクタが表面に配置された基板と、
を備え、
前記基板が前記導出器配置体の裏側に配置されている導出器収容体。
【請求項６】
請求項１または２に記載の導出器収容体であって、
前記収容具が底部および突出部を有し、
前記導出器収容体が、前記突出部を覆う外側被覆具を備えた導出器収容体。
【請求項７】
請求項１または２に記載の導出器収容体であって、
被測定物に固定するために使用される固定部を備えた導出器収容体。
【請求項８】
請求項１ないし７いずれか一項に記載の導出器収容体と、
車両に関する前記導出器による導出の結果を、無線により受信して記録する受信装置と、
を備えた車両の無線データ記録システム。
【発明の詳細な説明】
【技術分野】
【０００１】
本発明は、測定器のカバーに関する。
【背景技術】
【０００２】
従来より、複数の測定器から測定結果を無線により受信して処理することが知られている（例えば、特許文献１の要約を参照）。なお、外部環境から保護するために、測定器をカバーで覆うことも知られている。
【先行技術文献】
【特許文献】
【０００３】
【特許文献１】特開２００７−４８０２４号公報
【発明の概要】
【発明が解決しようとする課題】
【０００４】
しかしながら、複数の測定器の各々に、外部環境からの保護を充分に果たすカバーをかけるには、カバーをかけるための労力が過大なものとなる。
【０００５】
そこで、本発明は、複数の測定器を、外部環境から充分に保護することを課題とする。
【課題を解決するための手段】
【０００６】
本発明にかかる導出器収容体は、測定対象量を別の物理量に変換する物理量変換器による変換結果を受けて、前記測定対象量を導出する複数の導出器と、前記複数の導出器を収容する収容具とを備えるように構成される。
【０００７】
上記のように構成された導出器収容体は、複数の導出器が、測定対象量を別の物理量に変換する物理量変換器による変換結果を受けて、前記測定対象量を導出する。収容具が、前記複数の導出器を収容する。
【０００８】
なお、本発明にかかる導出器収容体は、前記測定対象量が温度であり、前記別の物理量が電圧であり、前記物理量変換器が熱電対であるようにしてもよい。
【０００９】
なお、本発明にかかる導出器収容体は、前記収容具が、互いに接合する複数の接合体を有し、前記接合体の間に、防水用部材が配置されているようにしてもよい。
【００１０】
なお、本発明にかかる導出器収容体は、前記複数の導出器のうちの２つ以上に共通する電源供給用の電源端子を備えるようにしてもよい。
【００１１】
なお、本発明にかかる導出器収容体は、前記複数の導出器が表面に配置された導出器配置体と、前記物理量変換器が接続されるコネクタが表面に配置された基板とを備え、前記基板が前記導出器配置体の裏側に配置されているようにしてもよい。
【００１２】
なお、本発明にかかる導出器収容体は、前記収容具が底部および突出部を有し、前記導出器収容体が、前記突出部を覆う外側被覆具を備えるようにしてもよい。
【００１３】
なお、本発明にかかる導出器収容体は、被測定物に固定するために使用される固定部を備えるようにしてもよい。
【００１４】
なお、本発明は、本発明にかかる導出器収容体と、車両に関する前記導出器による導出の結果を、無線により受信して記録する受信装置とを備えた車両の無線データ記録システムである。
【図面の簡単な説明】
【００１５】
【図１】本発明の実施形態にかかる導出器収容体１を正面斜め上から見た斜視図である。
【図２】本発明の実施形態にかかる導出器収容体１を背面斜め上から見た斜視図である。
【図３】本発明の実施形態にかかる導出器収容体１の上方接合体２２を外した状態の平面図である。
【図４】測定ユニット固定プレート３２の裏面図である。
【図５】図３のＶ−Ｖ断面図である。
【図６】本発明の実施形態の変形例１にかかる導出器収容体１の断面図である。
【図７】本発明の実施形態の変形例２にかかる導出器収容体１を正面斜め上から見た斜視図である。
【発明を実施するための形態】
【００１６】
以下、本発明の実施形態を図面を参照しながら説明する。
【００１７】
図１は、本発明の実施形態にかかる導出器収容体１を正面斜め上から見た斜視図である。図２は、本発明の実施形態にかかる導出器収容体１を背面斜め上から見た斜視図である。
【００１８】
導出器収容体１は、収容具２、ボルト３、熱電対引き出し口４（図１参照）、電源ケーブル挿入口５（図２参照）、複数の測定ユニット（導出器）１０（図４および図５参照）を備える。導出器収容体１は、例えば、無線データロガーに使用する。
【００１９】
収容具２は、互いに接合する上方接合体２２および下方接合体２４を有する。
【００２０】
上方接合体２２は、上方側壁２２ａ、蓋２２ｂ、上方ネジ用突起２２ｃを有する。上方側壁２２ａは、収容具２の側壁のうち上方に位置するものである。蓋２２ｂは、上方接合体２２の最上部に位置する平板状の部材である。上方ネジ用突起２２ｃは、上方側壁２２ａから側方に突出し、ボルト３を受ける孔を有する。
【００２１】
下方接合体２４は、下方側壁２４ａ、底部２４ｂ、下方ネジ用突起２４ｃを有する。下方側壁２４ａは、収容具２の側壁のうち下方に位置するものである。底部２４ｂは、下方接合体２４の最下部に位置する平板状の部材である。下方ネジ用突起２４ｃは、下方側壁２４ａから側方に突出し、ボルト３を受ける孔（図３参照）を有する。
【００２２】
ただし、上記した「上」および「下」は、蓋２２ｂを上に、かつ底部２４ｂを下に配置したときの上および下を意味する。例えば、蓋２２ｂを下に、かつ底部２４ｂを上に配置した場合は、上下は逆転する。例えば、導出器収容体１を自動車に取り付けて温度測定に使用する場合、底部２４ｂを車両の下に取り付ける。この際、蓋２２ｂが下に、かつ底部２４ｂが上に配置される。
【００２３】
ボルト３は、上方ネジ用突起２２ｃを貫通し、下方ネジ用突起２４ｃ内に達する。ボルト３には雄ネジが切られており、上方ネジ用突起２２ｃおよび下方ネジ用突起２４ｃを締結する。これにより、上方接合体２２が下方接合体２４に固定される。
【００２４】
熱電対引き出し口４は、収容具２内に収容された熱電対（物理量変換器）４０（図５参照）を、収容具２の外部に引き出すための開口である。ただし、熱電対４０は、図１および図２において図示省略する。なお、熱電対４０の一端は、温度を測定すべき場所に配置されており、その一端にまで熱電対４０が延伸している。
【００２５】
電源ケーブル挿入口５は、収容具２内に、電源ケーブルを挿入するための開口である。ただし、電源ケーブルは図示省略する。なお、電源ケーブルは、電源端子３９（図４参照）に接続される。ただし、導出器１０用の電源を収容具２内に設けてもよく、この場合は、電源ケーブル挿入口５が不要である。
【００２６】
図３は、本発明の実施形態にかかる導出器収容体１の上方接合体２２を外した状態の平面図である。図４は、測定ユニット固定プレート３２の裏面図である。図５は、図３のＶ−Ｖ断面図である。ただし、図５において、上方ネジ用突起２２ｃおよび下方ネジ用突起２４ｃは図示省略する。
【００２７】
図４および図５を参照して、収容具２は、複数（例えば、１０個：図４参照）の測定ユニット（導出器）１０を収容する。なお、収容具２内には、温度（測定対象量）を電圧（別の物理量）に変換する熱電対（物理量変換器）４０も収容されている。
【００２８】
測定ユニット（導出器）１０は、熱電対４０による変換結果（電圧）を受けて、温度を導出する。測定ユニット１０は、例えば、７個の熱電対４０による変換結果（電圧）を受けて、温度を導出することができる。上記のとおり、導出器収容体１は、例えば、１０個の測定ユニット１０を有するので、導出器収容体１全体としては、７×１０＝７０個の熱電対４０による変換結果（電圧）を受けて、温度を導出することができる。
【００２９】
ただし、熱電対４０は、物理量変換器の単なる一例である。測定対象量は、温度の他に、例えば、湿度、電圧、電流、抵抗、歪み、速度、加速度、回転、磁界、位置、高度、圧力、照度が考えられる。別の物理量は、測定対象量以外の物理量であればよい。熱電対４０は、例えば、歪みゲージにかえてもよい。
【００３０】
図３を参照して、上方接合体２２および下方接合体２４の間に、パッキン（防水用部材）６が配置されている。パッキン６は、水を通さない部材（例えば、ゴム）である。なお、パッキン６は、図１および図２においては、図示省略する。
【００３１】
また、導出器収容体１は、測定ユニット固定プレート（導出器配置体）３２、スペーサ３３、基板３４、コネクタ３６、測定ユニット用コネクタ３８、電源端子３９を備える。
【００３２】
図４を参照して、電源端子３９は、複数の導出器１０のうちの２つ以上（例えば、全て）に接続され、これらに共通する電源供給用の端子である。
【００３３】
測定ユニット固定プレート（導出器配置体）３２は、その表面に、複数の導出器１０が配置されたプレートである。基板３４は、その表面に、コネクタ３６が配置されている基板である。コネクタ３６は、熱電対（物理量変換器）４０が接続されるコネクタである。例えば、７０個のコネクタ３６が、基板３４の表面に配置されている。なお、基板３４は、導出器配置体３２の裏側に配置されている。スペーサ３３は、基板３４の裏面と、測定ユニット固定プレート３２の裏面とを隔てる部材である。なお、測定ユニット固定プレート３２の裏面のうち、基板３４の裏面に覆われる部分は、スペーサ３３の厚みの分だけ、へこんでいる。測定ユニット用コネクタ３８は、導線１１により、導出器１０と接続されている。なお、測定ユニット用コネクタ３８とコネクタ３６とは、基板３４の裏面で導線（図示省略）により接続されている。なお、コネクタ３６は、基板３４ではなく、収容具２（例えば、下方側壁２４ａ上）に配置しても良い。また、コネクタ３６にかえて端子台を配置しても良い（例えば、端子台を、蓋２２ｂ上に配置する）。
【００３４】
また、導線１１および熱電対４０は、図示の便宜上、直角に折れ曲がった形状で図示しているが、実際には、たわんでいる。
【００３５】
本発明の実施形態によれば、複数の測定ユニット（導出器）１０の各々に外部環境からの保護を充分に果たすカバーをかけなくても、複数の測定ユニット１０を収容する収容具２により、複数の測定ユニット１０を外部環境から充分に保護することができる。
【００３６】
また、本発明の実施形態によれば、上方接合体２２および下方接合体２４の間に配置されたパッキン６によって、複数の測定ユニット１０をまとめて防水することができる。
【００３７】
さらに、本発明の実施形態によれば、複数の導出器１０のうちの２つ以上（例えば、全て）に接続され、これらに共通する電源供給用の端子である電源端子３９により、収容具２内に電池等を備えなくてもよいので、導出器収容体１の小型化を図ることができる。
【００３８】
しかも、本発明の実施形態によれば、測定ユニット（導出器）１０の裏側にコネクタ３６が配置されることとなり、導出器収容体１の平面形状（図３参照）の面積を小さくすることができる。
【００３９】
なお、本発明の実施形態には、以下のような変形例が考えられる。
【００４０】
（変形例１）
図６は、本発明の実施形態の変形例１にかかる導出器収容体１の断面図である。ただし、図６は、図３のＶ−Ｖ断面図に相当する。
【００４１】
収容具２が有する下方側壁２４ａ、上方側壁２２ａ、蓋２２ｂを突出部という。すると、収容具２は、底部２４ｂおよび突出部（下方側壁２４ａ、上方側壁２２ａ、蓋２２ｂ）を有する。突出部は、底部２４ｂから突出している。
【００４２】
本発明の実施形態の変形例１にかかる導出器収容体１は、突出部を覆う外側被覆具（上方側壁５２ａ、蓋５２ｂ、下方側壁５４ａ）を備える。上方側壁５２ａは上方側壁２２ａと、蓋５２ｂは蓋２２ｂと、下方側壁５４ａは下方側壁２４ａと同様な形状である。
【００４３】
本発明の実施形態の変形例１にかかる導出器収容体１を自動車に取り付けて温度測定に使用する場合、テストベンチで測定する際は、外側被覆具は不要であり、取り付け不要である。テストベンチで測定する際は、防振、防水および防塵ができればよく、それならば、収容具２で十分だからである。実車走行により測定する際は、外側被覆具を取り付け、石はね等による損傷を防ぐ。これにより、石はね等による損傷の際にも、外側被覆具を交換すればよく、収容具２を交換しなくてもすむ。
【００４４】
（変形例２）
図７は、本発明の実施形態の変形例２にかかる導出器収容体１を正面斜め上から見た斜視図である。
【００４５】
本発明の実施形態の変形例２にかかる導出器収容体１は、底部２４ｂを厚さ方向に貫通する複数の取り付け孔（固定部）８を有する。取り付け孔８には、ボルトなどの取り付け具（図示省略）を通して、車両などの被測定物（図示省略）に、導出器収容体１を固定する。
【００４６】
（変形例３）
測定ユニット（導出器）１０は、無線により、車両に関する導出結果（温度）を送信するようにしてもよい。送信された導出結果（データ）は、受信装置により受信され記録される。変形例３にかかる導出器収容体１および受信装置が、車両の無線データ記録システムを構成する。
【符号の説明】
【００４７】
１  導出器収容体
２  収容具
２２  上方接合体
２４  下方接合体
４  熱電対引き出し口
５  電源ケーブル挿入口
６  パッキン（防水用部材）
８  取り付け孔（固定部）
１０  測定ユニット（導出器）
３２  測定ユニット固定プレート（導出器配置体）
３３  スペーサ
３４  基板
３６  コネクタ
３８  測定ユニット用コネクタ
３９  電源端子
４０  熱電対（物理量変換器）
【図１】
2020091137.tif 000003
【図２】
2020091137.tif 000004
【図３】
2020091137.tif 000005
【図４】
2020091137.tif 000006
【図５】
2020091137.tif 000007
【図６】
2020091137.tif 000008
【図７】
2020091137.tif 000009